(57)【要約】【課題】簡単な構成でフィードローラにより画像読取位置へ搬送される原稿用紙に弛みが生じることを防止でき、読み取った画像の画歪みを防止できる原稿搬送装置を提供する。【解決手段】原稿を画像読取位置へ搬送するフィードローラ３０と、画像読取位置の搬送上流側と搬送下流側でそれぞれフィードローラ３０の外周面３０ｂに圧接されて従動回転するレジスト用プレスローラ３０と排出用プレスローラ３１とを備え、フィードローラ３０は、一の回転駆動軸３０ａに取り付けられたレジスト用プレスローラ３１が圧接された分割フィードローラ３０−１と、排出用プレスローラ３２が圧接された分割フィードローラ３０−２とからなり、分割フィードローラ３０−１の径寸法Ｄ１よりも分割フィードローラ３０−２の径寸法Ｄ２の方が大きな径寸法になるように構成した原稿搬送装置である。【選択図】図４
2008024436.tif 000002
【特許請求の範囲】
【請求項１】
画像を読み取る画像読取位置へ原稿を搬送するフィードローラと、前記画像読取位置の搬送上流側で前記フィードローラの外周面に圧接されて従動回転するレジスト用プレスローラと、前記画像読取位置の搬送下流側で前記フィードローラの外周面に圧接されて従動回転する排出用プレスローラとを備え、
前記フィードローラは、一の回転駆動軸に取り付けた複数の分割フィードローラからなり、各分割フィードローラに前記レジスト用プレスローラと前記排出用プレスローラのいずれかが圧接されていると共に、前記レジスト用プレスローラが圧接されている分割フィードローラよりも前記排出用プレスローラが圧接されている分割フィードローラの方が大きな径寸法に形成されていることを特徴とする原稿搬送装置。
【請求項２】
請求項１に記載の原稿搬送装置において、
前記レジスト用プレスローラが圧接されている分割フィードローラと前記排出用プレスローラが圧接されている分割フィードローラを、前記回転駆動軸の軸方向に交互に配置したことを特徴とする原稿搬送装置。
【請求項３】
請求項１又は２に記載の原稿搬送装置において、
前記レジスト用プレスローラが圧接されている分割フィードローラと前記排出用プレスローラが圧接されている分割フィードローラを、搬送される原稿の搬送幅方向の中心に対して左右対象となるように配置したことを特徴とする原稿搬送装置。
【発明の詳細な説明】
【技術分野】
【０００１】
本発明は、原稿の画像を読み取る画像読取位置へ原稿を搬送するフィードローラを備えた原稿搬送装置に関するものである。
【背景技術】
【０００２】
ファクシミリやコピー機などの画像形成装置には、画像を読み取る画像読取位置へ原稿を搬送する原稿搬送装置を備えたものがある。この種の原稿搬送装置として、特許文献１に示すように、画像読取位置に原稿を搬送するフィードローラと、該フィードローラの外周面に圧接されて従動回転するプレスローラとを備えたものがある。この原稿搬送装置では、フィードローラの回転により原稿をプレスローラとの圧接部でニップして画像読取位置へ搬送するようになっている。
【特許文献１】特開２００５−１２６２０２号公報
【発明の開示】
【発明が解決しようとする課題】
【０００３】
ところが、上記の原稿搬送装置では、フィードローラとプレスローラの圧接部でニップされて画像読取位置へ搬送される原稿に、弛みが生じ易いという問題があった。そのため、画像読取位置で読み取った原稿の画像に画歪みが生じてしまうおそれがあった。
【０００４】
本発明は上述の点に鑑みてなされたものでありその目的は、簡単な構成でフィードローラにより画像読取位置へ搬送される原稿に弛みが生じることを防止でき、読み取った画像の画歪みを防止できる原稿搬送装置を提供することにある。
【課題を解決するための手段】
【０００５】
上記課題を解決するため本願の請求項１に記載の発明は、画像を読み取る画像読取位置へ原稿を搬送するフィードローラと、前記画像読取位置の搬送上流側で前記フィードローラの外周面に圧接されて従動回転するレジスト用プレスローラと、前記画像読取位置の搬送下流側で前記フィードローラの外周面に圧接されて従動回転する排出用プレスローラとを備え、前記フィードローラは、一の回転駆動軸に取り付けた複数の分割フィードローラからなり、各分割フィードローラに前記レジスト用プレスローラと前記排出用プレスローラのいずれかが圧接されていると共に、前記レジスト用プレスローラが圧接されている分割フィードローラよりも前記排出用プレスローラが圧接されている分割フィードローラの方が大きな径寸法に形成されていることを特徴とする原稿搬送装置にある。
【０００６】
本願の請求項２に記載の発明は、請求項１に記載の原稿搬送装置において、前記レジスト用プレスローラが圧接されている分割フィードローラと前記排出用プレスローラが圧接されている分割フィードローラを、前記回転駆動軸の軸方向に交互に配置したことを特徴とする。
【０００７】
本願の請求項３に記載の発明は、請求項１又は２に記載の原稿搬送装置において、前記レジスト用プレスローラが圧接されている分割フィードローラと前記排出用プレスローラが圧接されている分割フィードローラを、搬送される原稿の搬送幅方向の中心に対して左右対象となるように配置したことを特徴とする。
【発明の効果】
【０００８】
本願の請求項１に記載の発明によれば、フィードローラは、一の回転駆動軸に取り付けた複数の分割フィードローラからなり、各分割フィードローラにレジスト用プレスローラと排出用プレスローラのいずれかが圧接されていると共に、レジスト用プレスローラが圧接されている分割フィードローラよりも排出用プレスローラが圧接されている分割フィードローラの方が大きな径寸法に形成されているので、レジスト用プレスローラの圧接部よりも排出用プレスローラの圧接部の方がフィードローラの外周面の回転周速度が大きくなり、原稿の搬送速度が速くなる。したがって、画像読取位置の前後で原稿の搬送速度に差が生じ、画像読取位置の原稿が引っ張られた状態になるので、画像読取位置の原稿に弛みが生じるおそれがなく、読み取った画像に画歪みが生じることを防止できる。
【０００９】
本願の請求項２に記載の発明によれば、レジスト用プレスローラが圧接されている分割フィードローラと排出用プレスローラが圧接されている分割フィードローラを、回転駆動軸の軸方向に交互に配置したので、搬送される原稿がその搬送幅方向の各位置において均等に引っ張られるので、画像読取位置における原稿の弛みをより効果的に防止することができる。
【００１０】
本願の請求項３に記載の発明によれば、レジスト用プレスローラが圧接されている分割フィードローラと排出用プレスローラが圧接されている分割フィードローラを、搬送される原稿の搬送幅方向の中心に対して左右対象となるように配置したので、原稿の搬送幅方向の各位置における原稿にかかる引張力や搬送速度に差が生じるおそれがなく、画像読取位置における原稿の弛みや斜行を防止することができるので、読み取った画像に画歪みが生じることを防止できる。
【発明を実施するための最良の形態】
【００１１】
以下、本発明の実施形態を図面に基づいて詳細に説明する。図１は、本発明の一実施形態に係る原稿搬送装置を備えた画像形成装置を示す斜視図である。まず、同図を用いて画像形成装置の概略全体構成について説明する。本発明を適用する画像形成装置としては、原稿搬送装置を備えた画像形成装置であれば、コピー機やファクシミリ装置やプリンタあるいはこれらの機能を兼ね備えたいわゆる複合機のうちのいずれであっても良い。同図に示す画像形成装置１は、下段側に設置された記録部２と、上段側に設置された読取部３とを備えている。記録部２には、記録装置４と給紙カセット５及び記録紙排出トレイ６が内装され、給紙カセット５内に収容されている用紙を記録装置４へ給紙し、該記録装置４で用紙への記録を行った後、用紙を記録紙排出トレイ６へ排出するように構成されている。
【００１２】
一方、読取部３は、原稿の画像を走査して読み取る画像読取装置１０と、該画像読取装置１０の前面側に取り付けられた操作パネル７と、画像読取装置１０の上部にその一辺が図示しないヒンジ機構で開閉可能に取り付けられた原稿押えカバー８とを備えている。原稿押えカバー８の一端部には、本発明の原稿搬送装置である自動原稿搬送装置（ＡＤＦ装置）２０が設置されている。
【００１３】
図２は、画像読取装置１０と自動原稿搬送装置２０の詳細構成を示す側断面図である。画像読取装置１０のコンタクトガラス１６−１とプラテンガラス１６−２の下面側には読取ユニット１１が設置されている。この読取ユニット１１は、画像読取位置の原稿へ光を照射する光源１２と、原稿からの反射光Ｒを所定の方向へ導くための反射ミラー１３と、反射光Ｒを収束する集光レンズ１４と、該収束光を電気信号に変換して出力する電荷結合素子（Charge Coupled Device，以下「ＣＣＤ」という）１５を備えたいわゆる縮小光学系のＣＣＤ読取ユニットで、原稿からの反射光ＲをＣＣＤ１５へ導いて結像するようになっており、詳細な説明及び図示は省略するが、電気信号に変換された画像信号は、アナログ／デジタル変換、シェーディング処理等が施された後、記録部２で記録用紙に記録され、又はＣＯＤＥＣ等の送信部により電送される。
【００１４】
一方、自動原稿搬送装置２０は、原稿搬送路２２と、原稿搬送路２２の入口２２ａに取り付けられた複数枚の原稿用紙を積載する原稿供給トレイ２１と、原稿搬送路２２の出口２２ｂの下部に設置された搬送後の原稿用紙を積載保持する原稿排出トレイ２３を備えている。原稿搬送路２２は、その入口２２ａから奥へ向かう上側搬送路２２−１と、上側搬送路２２−１の最奥部から横向き略Ｕ字状に形成された折返搬送路２２−２と、折返搬送路２２−２の下端から出口２２ｂに連通する下側搬送路２２−３とを備えている。また、折返搬送路２２−２の内側にはフィードローラ３０が設置され、該フィードローラ３０の外周面３０ｂの上端部に対向する位置にはレジスト用プレスローラ３１が設置され、外周面３０ｂの下端部の近傍に対向する位置には排出用プレスローラ３２が設置されている。また、原稿搬送路２２の入口２２ａには、原稿用紙を繰り込むピックアップローラ２４や複数枚の原稿用紙を分離するセパレートローラ２５が設置され、原稿搬送路２２の出口２２ｂには、原稿用紙を排紙する排紙ローラ２６と従動ローラ２７が設置されている。
【００１５】
上記の画像読取装置１０で、フラットベッドスキャナとして原稿画像の読み取りを行う場合は、原稿押えカバー８を閉じてプラテンガラス１６−２上に載置した原稿を押圧して固定する。その状態で反射ミラー１３を取り付けている各キャリッジ１７を走査して原稿画像の読み取りを行なう。一方、自動原稿搬送装置２０を用いて原稿画像の読み取りを行う場合は、原稿供給トレイ２１からピックアップローラ２４で原稿搬送路２２へ繰り込まれた原稿用紙が、原稿搬送路２２に沿って上方から下方へＵターンするように反転して、フィードローラ３０の外周面３０ｂの下端部の下側に配置された画像読取位置Ｐ１に至り、画像読取位置Ｐ１を通過する際に、コンタクトガラス１６−１の下側に反射ミラー１３が位置合わせされている画像読取装置１０で原稿の画像が読み取られる。その後、原稿用紙が原稿排出トレイ２３へ排出される。
【００１６】
ここで、自動原稿搬送装置２０の各部の構成をさらに詳細に説明する。図３は、自動原稿搬送装置２０の詳細構成を示す部分拡大図である。原稿供給トレイ２１は、原稿搬送路２２の入口２２ａ側の端部が低くなるように若干傾斜して取り付けられている。そして原稿搬送路２２の入口２２ａには、原稿供給トレイ２１上に積載された原稿用紙の先端側の一部が載置される用紙載置部２８が形成されている。また、用紙載置部２８の上方に配置されたピックアップローラ２４は、セパレートローラ２５の回転軸２５ａを支点として上下方向に揺動する揺動アーム２９の先端に回転自在に軸支されている。
【００１７】
用紙載置部２８の下流側には、原稿搬送路２２の上部に回転自在に設置されたセパレートローラ２５と、セパレートローラ２５のローラ面２５ｂの下端部に圧接される分離パッド１９が設置されている。このセパレートローラ２５には、例えばそのローラ面２５ｂがシリコン製のローラなどを用いることができる。また分離パッド１９には、その原稿用紙に対する摩擦係数がセパレートローラ２５のローラ面２５ｂの原稿用紙に対する摩擦係数よりも低く、且つ原稿用紙同士の摩擦係数より高い、例えばウレタン系樹脂材料などからなるシート状の部材を用いることができる。また、ピックアップローラ２４やセパレートローラ２５には、それらの回転方向に所定以上の負荷が掛かると回転を空転させるワンウェイクラッチ機構２４ｃ，２５ｃが設けられている。
【００１８】
フィードローラ３０は、その回転駆動軸３０ａの軸方向が、原稿搬送路２２の進行方向に対して直交する水平方向に配置され、該フィードローラ３０外周面３０ｂの上端部が上側搬送路２２−１の最奥部に位置している。回転駆動軸３０ａは、図示しないモータ等の駆動手段の駆動力が伝達されて回転するようになっている。そして、フィードローラ３０の外周面３０ｂの上端部に対向する位置に設置されたレジスト用プレスローラ３１は、その回転軸３１ａの軸方向が回転駆動軸３０ａの軸方向と同方向に配置され、そのローラ面３１ｂがフィードローラ３０の外周面３０ｂに圧接されている。これによりレジスト用プレスローラ３１は、フィードローラ３０の回転で従動回転するようになっている。また、レジスト用プレスローラ３１の設置位置からフィードローラ３０の外周面３０ｂに沿って折返搬送路２２−２が半円弧状に形成され、フィードローラ３０の外周面３０ｂの下端部に至っている。
【００１９】
フィードローラ３０の外周面３０ｂの下端部に面する位置には、フィードローラ３０の幅方向に延びる板状のガイド部材３７が設置されている。そしてこのガイド部材３７の下面に対向して配置されるコンタクトガラス１６−１の上面側に、原稿の画像を読み取る画像読取位置Ｐ１が設けられている。ガイド部材３７は、フィードローラ３０で搬送される原稿用紙を画像読取位置Ｐ１へ案内するものである。また、画像読取位置Ｐ１よりも搬送下流側のフィードローラ３０の外周面３０ｂに対向する位置に設置された排出用プレスローラ３２は、その回転軸３２ａの軸方向が回転駆動軸３０ａの軸方向と同方向に配置され、そのローラ面３２ｂがフィードローラ３０の外周面３０ｂに圧接されている。これにより排出用プレスローラ３２も、フィードローラ３０の回転で従動回転するようになっている。そして排出用プレスローラ３２の搬送下流側に下側搬送路２２−３の最奥部が位置している。下側搬送路２２−３はそこから上側搬送路２２−１と逆方向に向かって斜め上方に次第に上昇し、排紙ローラ２６と従動ローラ２７の圧接部を通って、原稿排出トレイ２３が設置された原稿搬送路２２の出口２２ｂに連通している。
【００２０】
図４は、フィードローラ３０をその回転駆動軸３０ａの側方から見た概略構成を示す図である。同図に示すようにフィードローラ３０は、一の回転駆動軸３０ａに所定間隔で取り付けられた複数の分割フィードローラ３０−１，３０−２を備えて構成されている。またレジスト用プレスローラ３１は一の回転軸３１ａに所定間隔で取り付けられた複数のレジスト用プレスローラ３１を備えており、排出用プレスローラ３２は一の回転軸に所定間隔で取り付けられた複数の排出用プレスローラ３２を備えている。そして各分割フィードローラ３０−１又は３０−２のうち、回転駆動軸３０ａの一端側に取り付けた分割フィードローラ３０−１及びその１個おきの各分割フィードローラ３０−１にそれぞれレジスト用プレスローラ３１が圧接されていて、これら各分割フィードローラ３０−１の間に配置された残りの各分割フィードローラ３０−２にそれぞれ排出用プレスローラ３２が圧接されている。
【００２１】
そして、レジスト用プレスローラ３１が圧接されている分割フィードローラ３０−１の径寸法Ｄ１よりも、排出用プレスローラ３２が圧接されている分割フィードローラ３０−２の径寸法Ｄ２の方が僅かに大きな径寸法に形成されていて、これらの径寸法の関係が、Ｄ２＞Ｄ１となっている。なお本実施形態ではフィードローラ３０が５個の分割フィードローラ３０−１，３０−２に分割されていて、そのうちの３個の分割フィードローラ３０−１にレジスト用プレスローラ３１が圧接され、残りの２個の分割フィードローラ３０−２に排出用プレスローラ３２が圧接されている場合を示している。なお、ここでのフィードローラ３０−１の径寸法Ｄ１とフィードローラ３０−２の径寸法Ｄ２の差は、搬送する原稿用紙がその搬送幅方向で撓みを生じないように、原稿用紙の厚さ寸法の数倍程度あるいはそれ以下になるように設定すると良い。
【００２２】
ここで、上記構成の自動原稿搬送装置２０における原稿用紙の搬送手順、及び画像読取位置Ｐ１での原稿画像の読取動作について説明する。まず、原稿供給トレイ２１上に原稿用紙が載置され、操作パネル７から画像読取の指示が入力されると、ピックアップローラ２４とセパレートローラ２５が回転を開始し、揺動アーム２９が下方に揺動する。これにより回転するピックアップローラ２４が用紙載置部２８上の原稿用紙の上面に圧接されて、ピックアップローラ２４の回転により最上段の原稿用紙がセパレートローラ２５と分離パッド１９の圧接部１８へ繰り込まれる。
【００２３】
ピックアップローラ２４で繰り込まれた原稿用紙が圧接部１８へ送られる際に、原稿用紙の摩擦力や静電気により、先行の原稿用紙に従動して後続の原稿用紙が下側に重なった状態で送られることがある。その際に圧接部１８において、上側の原稿用紙はセパレートローラ２５の回転により原稿搬送路２２の下流側へ送られるが、下側の原稿用紙は分離パッド１９によって圧接部１８で制止された状態になり、上側の原稿用紙が先に圧接部１８を通過して原稿搬送路２２内へ送られる。上側の原稿用紙が圧接部１８を通過したら、それまで制止されていた下側の原稿用紙がセパレートローラ２５のローラ面２５ｂに接触して、該セパレートローラ２５の回転に従って原稿搬送路２２内へ送られる。
【００２４】
このようにして、セパレートローラ２５の回転で上側搬送路２２−１へ繰り込まれた原稿用紙は、その先端部が回転するフィードローラ３０とレジスト用プレスローラ３１の圧接部３５でニップされて、折返搬送路２２−２へ繰り込まれる。ここで、セパレートローラ２５による原稿用紙の搬送速度よりもフィードローラ３０による原稿用紙の搬送速度の方が若干高速になるように設定されていることで、レジスト用プレスローラ３１の圧接部３５による繰り込みで原稿用紙が引っ張られ、セパレートローラ２５やピックアップローラ２４にその引張力が作用するようになっている。するとワンウェイクラッチ機構２５ｃ，２４ｃでセパレートローラ２５やピックアップローラ２４が空転状態となり、先行の原稿用紙の後端部がセパレートローラ２５の圧接部１８を通過するまでは、セパレートローラ２５やピックアップローラ２４による後続の原稿用紙の繰り込みは行われない。
【００２５】
一方で、原稿用紙の先端部は折返搬送路２２−２を進み、画像読取位置Ｐ１を通過して、画像読取位置Ｐ１よりも下流側の排出用プレスローラ３２の圧接部３６に繰り込まれる。それ以降、フィードローラ３０の外周面３０ｂに沿う原稿搬送路２２を原稿用紙が搬送され、コンタクトガラス１６−１の上面側に設けた画像読取位置Ｐ１においてその表面の画像が読み取られていく。その際、画像読取位置Ｐ１の搬送上流側の圧接部３５と搬送下流側の圧接部３６で原稿用紙がニップされているが、上記したようにレジスト用プレスローラ３１が圧接されている分割フィードローラ３０−１の径寸法Ｄ１よりも、排出用プレスローラ３２が圧接されている分割フィードローラ３０−２の径寸法Ｄ２の方が僅かに大きな径寸法に形成されているので、分割フィードローラ３０−１の外周面３０−１ｂの回転周速度よりも、分割フィードローラ３０−２の外周面３０−２ｂの回転周速度の方が若干速くなる。そのためレジスト用プレスローラ３１の圧接部３５の用紙搬送速度Ｖ１よりも排出用プレスローラ３２の圧接部３６の用紙搬送速度Ｖ２の方が速く（Ｖ２＞Ｖ１）なる。この搬送速度の差によって、画像読取位置Ｐ１において原稿用紙が搬送上流側と搬送下流側へ引っ張られた状態になるので、画像読取位置Ｐ１で原稿用紙に弛みが生じることを防止できる。したがって読み取った画像に画歪みが生じることを防止できる。
【００２６】
排出用プレスローラ３２の圧接部３６を通過した原稿用紙の先端部は、下側搬送路２２−３に繰り込まれて搬送され、下側搬送路２２−３の出口２２ｂの排紙ローラ２６と従動ローラ２７で原稿排出トレイ２３上へ繰り出されて排出される。一方、フィードローラ３０で搬送される原稿用紙の後端部がセパレートローラ２５の圧接部１８を通過すると、セパレートローラ２５及びピックアップローラ２４の回転速度が初期の速度へ戻り、原稿供給トレイ２１上に載置された次の原稿用紙が繰り込まれ、上記と同様の動作が繰り返される。原稿供給トレイ２１上に載置された原稿用紙がすべて繰り込まれて原稿排出トレイ２３へ排出されたら、自動原稿搬送装置２０が停止する。
【００２７】
以上説明したように本実施形態の自動原稿搬送装置２０では、フィードローラ３０が一の回転駆動軸３０ａに取り付けられた複数の分割フィードローラ３０−１，３０−２からなり、これら複数の分割フィードローラ３０−１，３０−２にそれぞれレジスト用プレスローラ３１と排出用プレスローラ３２のいずれかが圧接されていると共に、レジスト用プレスローラ３１が圧接されている分割フィードローラ３０−１よりも排出用プレスローラ３２が圧接されている分割フィードローラ３０−２の方が大きな径寸法に形成されているので、レジスト用プレスローラ３１の圧接部３５よりも排出用プレスローラ３２の圧接部３６の方が、フィードローラ３０の回転周速度が大きくなって原稿用紙の搬送速度が速くなる。したがって、画像読取位置Ｐ１の前後で原稿用紙の搬送速度に差が生じ、画像読取位置Ｐ１で原稿用紙が引っ張られた状態になるので、画像読取位置Ｐ１の原稿用紙に弛みが生じるおそれがなく、読み取った画像に画歪みが生じることを防止できる。
【００２８】
また図４に示すように、レジスト用プレスローラ３１が圧接されている分割フィードローラ３０−１と排出用プレスローラ３２が圧接されている分割フィードローラ３０−２が、回転駆動軸３０ａの軸方向に交互に配置されていることで、搬送される原稿用紙がその搬送幅方向における各部分で均等に引っ張られるので、画像読取位置Ｐ１の原稿用紙の弛みをより効果的に防止することができる。また同図に示すように、レジスト用プレスローラ３１が圧接されている分割フィードローラ３０−１と排出用プレスローラ３２が圧接されている分割フィードローラ３０−２は、搬送される原稿用紙の搬送幅方向の中心に対して左右対象となるように配置されているので、原稿用紙の搬送幅方向の各位置における原稿用紙にかかる引張力や搬送速度に差が生じないので、画像読取位置Ｐ１における原稿用紙の弛みや斜行を防止でき、読み取った画像に画歪みが生じることをより効果的に防止できる。
【００２９】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、上記実施形態では、フィードローラ３０が５個の分割フィードローラ３０−１，３０−２からなる場合を説明したが、分割フィードローラ３０−１，３０−２は上記以外の個数を備えていてもよい。また分割フィードローラ３０−１又は３０−２のうち、レジスト用プレスローラ３１が圧接されている分割フィードローラ３０−１と排出用プレスローラ３２が圧接されている分割フィードローラ３０−２の個数や具体的な配列も、上記実施形態に示す個数や配列には限定されない。また本発明の分割フィードローラとしては、少なくともその外周面（ローラ面）が各々分割された構成であればよく、本実施形態のように各分割フィードローラ３０−１，３０−２が完全に分かれた構成でなくてもよい。また、レジスト用プレスローラ３１と排出用プレスローラ３２の具体的な形状や配置構成も、上記実施形態に示すものには限定されない。
【００３０】
また、上記実施形態では本発明の原稿搬送装置として、画像形成装置１の原稿押えカバー８に設置した自動原稿搬送装置（ＡＤＦ装置）２０を例に説明したが、本発明の原稿搬送装置は、自動原稿搬送装置２０には限定されず、画像読取位置へ原稿用紙を搬送するフィードローラを備えた原稿搬送装置であれば、他の構成の原稿搬送装置であってもよい。
【図面の簡単な説明】
【００３１】
【図１】本発明の一実施形態に係る原稿搬送装置を備えた画像形成装置の全体構成例を示す斜視図である。
【図２】自動原稿搬送装置と画像読取装置の構成例を示す側断面図である。
【図３】自動原稿搬送装置の詳細構成例を示す部分側断面図である。
【図４】フィードローラをその回転駆動軸の側方から見た概略構成例を示す図である。
【符号の説明】
【００３２】
１        画像形成装置
８        原稿押えカバー
１０      画像読取装置
１１      読取ユニット
２０      自動原稿搬送装置（ＡＤＦ装置）
２１      原稿供給トレイ
２２      原稿搬送路
２２−１  上側搬送路
２２−２  折返搬送路
２２−３  下側搬送路
２２ａ    （原稿搬送路）入口
２２ｂ    （原稿搬送路）出口
２３      原稿排出トレイ
２４      ピックアップローラ
２５      セパレートローラ
３０      フィードローラ
３０ａ    回転駆動軸
３０ｂ    外周面
３０−１  分割フィードローラ
３０−２  分割フィードローラ
３１      レジスト用プレスローラ
３１ａ    回転軸
３１ｂ    ローラ面
３２      排出用プレスローラ
３２ａ    回転軸
３２ｂ    ローラ面
３５      圧接部
３６      圧接部
Ｐ１      画像読取位置
【図１】
2008024436.tif 000003
【図２】
2008024436.tif 000004
【図３】
2008024436.tif 000005
【図４】
2008024436.tif 000006